(57)【要約】少なくとも一つの主要機械（１４）と１以上の補助機械（１５）に分配されるエンジン（１２）のグロス出力パワーが、主要機械（１４）の性能を十分に発揮させるとともに、エンジン（１２）の燃費の悪化を防止するように、制御される。合計負荷値演算部（２２２）が、補助機械（１５）で消費される損失パワーの値を演算し、主要機械（１４）に分配されるエンジン（１２）の主要出力パワーのための目標値をその損失パワー値に加算することで、主要機械（１４）と補助機械（１５）に供給されるべきパワーの合計である合計負荷パワーの値を演算する。グロス出力値制御部（２２３）が、合計負荷パワーの値が所定の閾値より小さいときには、グロス出力パワーの値を合計負荷パワー値になるように制御し、合計負荷パワー値が上記閾値より大きいときには、グロス出力パワー値を上記閾値になるように制御する。
2010087237.tif 000002
【特許請求の範囲】
【請求項１】
少なくとも一つの主要機械（１４）と１以上の補助機械（１５）を同時に駆動するエンジン（１２）を制御するための装置（１）において、
前記補助機械（１５）で消費される損失パワーの値を演算し、前記主要機械（１４）に分配される前記エンジン（１２）の主要出力パワーのための目標値を前記損失パワーの値に加算することで、前記主要機械（１４）と前記補助機械（１５）に供給されるべきパワーの合計である合計負荷パワーの値を演算する合計負荷値演算部（２２２）と、
前記合計負荷パワーの値に応じて、前記エンジン（１２）それ自体から出力されるグロス出力パワーの値を制御するグロス出力値制御部（２２３）と、
前記グロス出力値制御部（２２３）による前記グロス出力パワーの値の制御に従って、前記エンジン（１２）の駆動を制御するエンジン駆動制御部（２１１）と
を備え、
前記グロス出力値制御部（２２３）は、前記グロス出力パワーの値の可変範囲内に設定された閾値を有し、前記合計負荷パワーの値が前記閾値より小さいときには、前記グロス出力パワーの値を前記合計負荷パワーの値になるように制御し、前記合計負荷パワーの値が前記閾値より大きいときには、前記グロス出力パワーの値を前記閾値になるように制御する、
エンジン出力制御装置。
【請求項２】
請求項１記載の装置において、
前記合計負荷値演算部（２２２）は、前記主要出力パワーのための前記目標値を、前記エンジン（１２）の回転速度に応じて変化させる、エンジンジン出力制御装置。
【請求項３】
請求項１又は２記載の装置において、
前記合計負荷値演算部（２２２）は、或る補助機械（１５）の２以上の状態値をそれぞれ検出する複数のセンサ（３１，３２，３３，３４，３５又は３６）から、前記２以上の状態値を示す信号を入力し、前記入力された信号により示される前記２以上の状態値にそれぞれ基づいて、前記或る補助機械（１５）で消費されるパワーの２以上の候補値を決定し、前記決定された２以上の候補値のうちの最大値を、前記或る補助機械（１５）で消費される損失パワーの値として選択する、エンジンジン出力制御装置。
【発明の詳細な説明】
【技術分野】
【０００１】
本発明は、負荷の変動に応じてエンジンの出力を制御するための装置に関する。
【背景技術】
【０００２】
例えば、建設機械のエンジン出力を制御する装置において、時々刻々と変化する油圧モータ、エアコン、油圧ポンプ等の各種の負荷機械の合計負荷を演算し、作業に必要な主要出力に合計負荷を加えてエンジンのグロス出力を設定するといった技術が知られている（例えば、特許文献１）。【０００３】
このような制御装置によれば、ファンやエアコン等の補助機械の稼働負荷が変動しても、作業に必要な主要出力を確保することができる。
【先行技術文献】
【特許文献】
【０００４】
【特許文献１】特開２００５−９８２１６号公報
【発明の概要】
【発明が解決しようとする課題】
【０００５】
しかし、上記のような従来のエンジン出力制御装置によれば、合計負荷が大きいときには、エンジンのグロス出力も大きい値に設定されるので、作業に必要なパワーは確保できるものの、燃費が悪化するという問題がある。【０００６】
また、燃費低減のため、グロス出力に制限を加えることも考えられるが、作業に必要な主要出力を確保するため、ラジエータファンなどの出力可変の補助機械に向けられる出力が削られてしまい、例えばオーバーヒートが発生してしまう。【０００７】
従って、本発明の目的は、エンジンの出力パワーを制御するエンジン出力制御装置において、作業に必要なエンジン出力パワーを確保するとともに、エンジンの燃費の悪化を防止することにある。
【課題を解決するための手段】
【０００８】
本発明の一つの実施態様に従えば、少なくとも一つの主要機械と１以上の補助機械とを同時に駆動するエンジンを制御するための装置において、前記補助機械で消費される損失パワーの値を演算し、前記主要機械に分配される前記エンジンの主要出力パワーのための目標値を前記損失パワーに加算することで、前記主要機械と前記補助機械に供給されるべきパワーの合計である合計負荷パワーを演算する合計負荷値演算部と、前記合計負荷パワーの値に応じて、前記エンジンそれ自体が出力するのグロス出力パワーの値を制御するグロス出力値制御部と、前記グロス出力値制御部による前記グロス出力パワーの値の制御に従って、前記エンジンの駆動を制御するエンジン駆動制御部とを備え、前記グロス出力値制御部は、前記合計負荷パワーの値が所定の小パワー領域と大パワー領域のいずれにあるかを判断し、前記合計負荷パワーの値が所前記小パワー領域にあるときには、前記エンジンのグロス出力パワーの値が前記合計負荷パワーの値より小さくならないよう前記エンジンのグロス出力パワーの値を制御し、前記合計負荷パワーの値が前記大パワー領域にあるときには、前記グロス出力パワーの値が前記合計負荷パワーの値より小さくなるよう前記グロス出力パワーの値を制御する、ものが提供される。【０００９】
上記構成によれば、上記合計負荷パワーの値が所定の小パワー領域であるときに、グロス出力パワー値（つまり、補助機械で消費される損失パワーの値と、主要機械へ分配されるエンジンの主要出力パワーのための目標値との和）が合計負荷パワーの値より小さくならないように制御されるため、補助機械で消費される損失パワーの値が変動したとしても、主要機械に提供される主要出力パワーの値を上記目標値に保つことができる。上記目標値が予め適切に設定されていれば、主要機械は所望される性能を発揮することができる。これに加えて、上記合計負荷パワーの値が大パワー領域であるときには、グロス出力パワーの値が上記合計負荷パワーの値より小さくなるように制御されるため、グロス出力パワーが過大な値となることはなく、燃費の悪化を防止することができる。【００１０】
本発明の好適な実施形態では、上記合計負荷パワーの値が大パワー領域であるときに、補助機械の動作に格別の制限は加えられない。その結果、補助機械は十分にその性能を発揮でき、補助機械の性能不足に起因する問題、例えばエンジンのオーバーヒートなど、の発生が防止できる。【００１１】
本発明の好適な実施形態では、前記グロス出力値制御部は、グロス出力パワーの値の可変範囲内に設定された閾値を有し、前記閾値より大きい前記合計負荷パワーの値の領域に前記大パワー領域を有し、前記閾値より小さい前記合計負荷パワーの値の領域に前記小パワー領域を有する。従って、上記合計負荷パワーの値が上記閾値を超えているときに、エンジンのグロス出力パワーの値が上記合計負荷パワーの値より小さくなるように抑制される。上記閾値を適切に設定することで、グロス出力パワーの上記抑制に起因する主要出力パワーの低下の問題を、実際上は無視できる程度に低減することができる。【００１２】
本発明に係る好適な実施形態では、前記グロス出力値制御部は、前記合計負荷パワーの値が前記大パワー領域にあるときには、前記グロス出力パワーの値を前記閾値になるように制御する。従って、エンジンの燃費の所望値に応じて前記閾値を適切に設定しておけば、補助機械による損失パワーが大きくなっても、グロス出力パワーが上記閾値より大きくなって燃費が所望値より悪化するという問題が、防止される。【００１３】
本発明に係る好適な実施形態では、前記グロス出力値制御部は、前記合計負荷パワーの値が前記小パワー領域にあるときには、前記グロス出力パワーの値を前記合計負荷パワーの値になるように制御する。従って、前記合計負荷パワーの値が小さくて燃費が悪くないときには、主要機械と補助機械に十分なパワーが分配されて、主要機械と補助機械が所望される性能を発揮することができる。【００１４】
本発明に係る好適な実施形態では、前記合計負荷値演算部は、前記主要出力パワーのための目標値を、前記エンジンの回転速度に応じて変化させる。上記目標値がエンジンの回転速度に応じて適切に変化することにより、主要機械へ供給される主要出力の値をエンジンの回転速度に応じて適切に制御することができる。【００１５】
本発明に係る好適な実施形態では、前記合計負荷値演算部は、或る補助機械の２以上の状態値をそれぞれ検出する複数のセンサから、前記２以上の状態値を示す信号を入力し、前記入力された信号により示される前記２以上の状態値にそれぞれ基づいて、前記或る補助機械で消費されるパワーの２以上の候補値を決定し、前記決定された２以上の候補値のうちの最大値を、前記或る補助機械で消費されるパワーの値として選択する。このように、その補助機械に関する異なる種類の状態値からそれぞれ推定されるその補助機械の消費パワーの異なる値の中から、最大の消費パワー値が選択されて、上述した合計負荷パワー値の演算で用いられる。そのため、制御演算において、補助機械による損失パワー（消費パワー）の値を実際より過少に推定するおそれが減る。それにより、エンジンのグロス出力パワーの制御がより適切になる。
【図面の簡単な説明】
【００１６】
【図１】ダンプトラックの全体構成の概略を示すブロック図である。
【図２】本実施形態に係るグロス出力パワーの制御手順を示すフローチャートである。
【図３】本実施形態に係るグロス出力制御が行われた場合における、エンジンのグロス出力パワーと主要出力パワーと損失パワーとの関係を示す図である。
【図４】損失パワーの計算方法を説明する説明図である。
【図５】損失パワーの内訳の一例を示す図である。
【図６】ラジエータファンの目標回転速度を決定するために用いられる制御マップを示す図である。
【図７】補助機械で消費される損失パワーが変化したとき、エンジンのグロス出力パワー及び主要出力パワーがどのように変化するかを、エンジン回転速度との関係で示した図である。
【発明を実施するための形態】
【００１７】
以下、図面を参照しながら、本発明の実施形態を、建設機械の一種であるダンプトラックに適用した場合を例に挙げて説明する。但し、本実施形態は、ダンプトラック以外の他の種類の建設機械又は作業機械にも適用することができる。
【００１８】
図１は、ダンプトラック１の一例の全体構成の概略を示すブロック図である。
【００１９】
ダンプトラック１は、例えば、エンジン１２と、ダンプトラック１を走行させるための走行装置１４と、各種の油圧ポンプ１５１〜１５５と、エアコンディショナ１５６と、エンジン１２の出力（出力パワー）を走行装置１４及び油圧ポンプ１５１〜１５５に分配する出力分配器（PTO：Power Take Off）１３とを備えている。走行装置１４、油圧ポンプ１５１〜１５５及びエアコンディショナ１５６は、エンジン１２の出力によって駆動される。
【００２０】
本明細書の説明では、「主要機械」、「補助機械」、「グロス出力パワー」、「損失パワー」及び「主要出力パワー」という用語が、以下の意味で使われる。本実施形態において、エンジン出力によって駆動される各種の装置、例えば上述した装置１４、１５１〜１５５、１５６のうち、走行装置１４はダンプトラック１の主要機能「走行」を提供する機械である。この主要機能を提供する装置（本実施形態における走行装置１４）は、「主要機械」と呼ばれる（建設/作業機械の種類が異なれば、その建設/作業機械のどのサブ機械が主要機械と呼ばれるかが異なり得る。）。他方、主要機械以外のエンジン出力によって駆動される装置、即ち、本実施形態では油圧ポンプ１５１〜１５５（これらの油圧ポンプによって駆動される装置（ラジエータファン１５７やアフタクーラファン１５８等）が含まれてもよい）及びエアコンディショナ１５６は、ダンプトラック１の主要機能以外の補助機能を提供する機械である。この補助機能を提供する装置（本実施形態では装置１５１〜１５５、１５６）は、「補助機械」１５と呼ばれる（エンジンが搭載された建設/作業機械の種類が異なれば、その建設/作業機械のどのサブ機械が補助機械と呼ばれるかが異なり得る。）。
【００２１】
また、エンジン１２それ自体の出力パワーは「グロス出力パワー」と呼ばれる。また、エンジン１２から補助機械１５（本実施形態では油圧ポンプ１５１〜１５５及びエアコンディショナ１５６）に分配されてそれらの補助機械１５で消費されるパワーは、主要機械１４側から見るとエンジン出力パワーの損失に相当し、ゆえに、それら補助機械１５によって消費されるパワーは「損失パワー」と呼ばれる。エンジン１２のグロス出力パワーから損失パワーを差し引いたパワー、即ち、主要機械（本実施形態では走行装置１４）に分配される出力パワーは「主要出力パワー」と呼ばれる。
【００２２】
走行装置１４は、例えば、トルクコンバータ（Ｔ／Ｃ）１４１と、トランスミッション（Ｔ／Ｍ）１４２と、アクスル１４３と、ホイール１４４とを備えている。エンジン１２から走行装置１４に分配されたパワーは、トルクコンバータ１４１、トランスミッション１４２及びアクスル１４３を介して、ホイール１４４に供給される。
【００２３】
各種の油圧ポンプ１５１〜１５５としては、例えば、ラジエータファンポンプ１５１、アフタクーラファンポンプ１５２、トランスミッションポンプ１５３、ステアリングポンプ１５４、及びブレーキクーリングポンプ１５５がある。ラジエータファンポンプ１５１及びアフタクーラファンポンプ１５２は、この実施形態では例えば可変容量型の油圧ポンプである。一方、トランスミッションポンプ１５３、ステアリングポンプ１５４及びブレーキクーリングポンプ１５５は、この実施形態では例えば固定容量型の油圧ポンプである。
【００２４】
トランスミッションポンプ１５３は、トルクコンバータ１４１及びトランスミッション１４２に作動油を供給するための油圧ポンプである。ステアリングポンプ１５４は、ステアリング機構（図示せず）及び荷台のためのホイスト機構（図示せず）に作動油を供給するための油圧ポンプである。ブレーキクーリングポンプ１５５は、ブレーキ１６（リターダブレーキ）にブレーキ冷却油を供給するための油圧ポンプである。
【００２５】
ラジエータファンポンプ１５１は、ラジエータ１７の冷却を行うラジエータファン１５７に作動油を供給するための油圧ポンプである。ラジエータ１７は、エンジン１２のための冷却水を冷却するための装置である。冷却水は、エンジン１２を冷却することに加えて、ブレーキ冷却油と、トルクコンバータ１４１及びトランスミッション１４２の作動油（以下、「Ｔ／Ｃ作動油」という）と、ステアリング機構及びホイスト機構の作動油（以下、「ステアリング作動油」という）の冷却をも行う。冷却水によるブレーキ冷却油等の冷却は、例えば、オイルクーラ（図示せず）を介して行われる。
【００２６】
アフタクーラファンポンプ１５２は、アフタクーラ１８を冷却するためのアフタクーラファン１５８に作動油を供給するための油圧ポンプである。アフタクーラ１８は、ターボチャージャ１９からエンジン１２へ吸入される圧縮空気の温度を低下させて、エンジン１２のシリンダ室内の酸素の充填効率を高めるための装置である。
【００２７】
ブレーキ１６は、ブレーキペダル１６１の操作に応じてフットブレーキとして作動し、また、リターダレバー１６２の操作量に応じてリターダブレーキとしても作動する。
【００２８】
ダンプトラック１には、例えば、エンジンコントローラ（以下、「エンジンＣＴＬ」と表記する）２１と、トランスミッションコントローラ（以下、「トランスミッションＣＴＬ」と表記する）２２との二つの制御装置が備えられている。エンジンＣＴＬ２１は、主にエンジン１２の制御を行い、トランスミッションＣＴＬ２２は、主にトランスミッション１４２の制御を行う。本実施形態において、トランスミッションＣＴＬ２２は、トランスミッション１４２の制御を行うことに加えて、エンジン１２のグロス出力パワーの制御ための主要な情報処理をも行う。しかし、これは単なる例示にすぎず、グロス出力パワーの制御のための主要情報処理をエンジンＣＴＬ２１が行うようにしてもいし、或いは、その情報処理用の追加のコントローラが更に設けられてもよい。両コントローラ２１，２２は、例えば、プロセッサ及びメモリを備えた電子回路として構成される。
【００２９】
エンジンＣＴＬ２１のプロセッサは、エンジンＣＴＬ２１のメモリに記憶されている所定のプログラムを実行することにより、エンジン駆動制御部２１１として機能する。エンジン駆動制御部２１１は、エンジン１２の駆動を制御するためのものである。本実施形態では、エンジン駆動制御部２１１は、例えば、エンジン１２に備えられる燃料噴射装置に対して燃料噴射量を指示する信号を送信することによりエンジン１２への燃料噴射量を制御する。その結果として、エンジン１２の出力トルクと回転速度が調整される（つまり、エンジン１２のグロス出力パワーが調整される）。エンジン駆動制御部２１１は、後述するエンジン１２のグロス出力パワー値の制御の結果としてグロス出力制御手段２２３から出力される指示に基づいて、エンジン１２への燃料噴射量を調整する。
【００３０】
トランスミッションＣＴＬ２２のプロセッサは、トランスミッションＣＴＬ２２のメモリに記憶されている所定のプログラムを実行することにより、速度段制御部２２１、合計負荷値演算部２２２及びグロス出力値制御部２２３として機能する。トランスミッション１４２の制御は、速度段制御部２２１によって行われる。具体的には、速度段制御部２２１は、トランスミッション１４２に対して速度段を指示する信号を送信することにより、トランスミッション１４２における速度段の切り替えを制御する。本発明の原理に従うエンジン１２のグロス出力パワーの制御（以下、「グロス出力制御」という）は、トランスミッションＣＴＬ２２の合計負荷値演算部２２２及びグロス出力値制御部２２３、並びに前述したエンジンＣＴＬ２１のエンジン駆動制御部２１１によって行われる。グロス出力制御の詳細については、後述する。
【００３１】
ダンプトラック１には、エンジン１２により駆動される上述の種々の負荷機械（特に補助機械１５）の種々の状態値を実時間でセンスするための種々のセンサ３１〜３６が設けられている。それらのセンサ３１〜３６で検出された種々の状態値は、トランスミッションＣＴＬ２２によりグロス出力制御のために使用される。具体的には、例えば、冷却水の水温（以下、「冷却水温」）を検出する冷却水温センサ３１と、Ｔ／Ｃ作動油の油温（以下、「Ｔ／Ｃ作動油温」）を検出するＴ／Ｃ作動油温センサ３２と、ブレーキ冷却油の油温（以下、「ブレーキ冷却油温」）を検出するブレーキ冷却油温センサ３３と、ステアリング作動油の油温（以下、「ステアリング作動油温」）を検出するステアリング作動油温センサ３４と、圧縮空気の温度を検出する圧縮空気温センサ３５と、リターダレバー１６２の操作量を検出するリターダレバー操作量センサ３６とが、設けられている。それらのセンサ３１〜３６により検出された各種状態値は、矢印（１）〜（６）にそれぞれ示されるように、電気信号としてトランスミッションＣＴＬ２２に入力される。
【００３２】
また、トランスミッションＣＴＬ２２には、矢印（７）に示されるように、エンジンＣＴＬ２１によって計測されているエンジン１２の回転速度（単位時間当たりの回転数）の値がエンジンＣＴＬ２１から電気信号として入力され、また、矢印（８）に示されるように、エアコンディショナ１５６のＯＮ／ＯＦＦを示す状態値がエアコンディショナ１５６から電気信号として入力される。これらの入力信号も、グロス出力制御に使用される。
【００３３】
トランスミッションＣＴＬ２２の合計負荷値演算部２２２及びグロス出力値制御部２２３並びにエンジンＣＴＬ２１のエンジン駆動制御部２１１は、電気信号（（１）〜（８））として入力された各種状態値に基づいて、グロス出力の制御を行う。以下、本実施形態に係るグロス出力制御について具体的に説明する。
【００３４】
図２は、本実施形態に係るグロス出力制御のための情報処理を示すフローチャートである。この情報処理は、実質的に常時継続して行われているような態様で（例えば、０．０１秒周期のような短い周期で繰り返して）実行される。
【００３５】
まず、合計負荷値演算部２２２は、電気信号（図１の（１）〜（８））として入力された各種状態値に基づいて、損失パワー（補助機械１５によって消費されるパワー）の値を計算する（Ｓ１）。本実施形態では、油圧ポンプ１５１〜１５５及びエアコンディショナ１５６、のそれぞれの消費パワーの値の合計が、損失パワーの値となる。損失パワー値の計算方法については、後に図４を参照して説明する。
【００３６】
次に、合計負荷値演算部２２２は、エンジン１２のグロス出力パワーの暫定的な値（以下、「暫定出力値」という）を決定する（Ｓ２）。具体的には、例えば、合計負荷値演算部２２２は、種々の負荷機械にそれぞれ分配されるべきエンジン出力パワーの値を合計した値（以下、「合計負荷値」という）を計算し、計算された合計負荷値を、上記の暫定出力値として決定する。上記の合計負荷値は、主要機械１４及び補助機械１５のそれぞれに分配されるべきパワーの値を合計したものである。このうち、補助機械１５に分配されるべきパワーの値としては、上記ステップＳ１で計算された損失パワー（補助機械１５で現在消費されているパワー）の値が使用される。一方、主要機械（本実施形態では走行装置）１４に分配されるべきパワーの値としては、予め定められた主要出力パワーの目標値（以下、「目標主要出力値」という）が使用される。
【００３７】
ここで、目標主要出力値は、以下の要求を満たすように設定されている。その要求とは、主要機械に分配される主要出力パワーの値（以下、「主要出力値」という）が目標主要出力値に等しければ主要機械がその機能を十分に発揮し得る（例えば、走行装置１４が十分な走行性能を発揮し得る）ということである。要するに目標主要出力値は、主要出力パワーに所望される値である。目標主要出力値は、エンジン１２の回転速度の関数として設定されており、エンジン回転速度に応じて変化する（図７参照）。目標主要出力値は、例えば、トランスミッションＣＴＬ２２のメモリに記憶されている。
【００３８】
従って、合計負荷値演算部２２２は、ステップＳ１で計算された損失パワーの値と、メモリに記憶されている、現在のエンジン回転速度に対応した目標主要出力値とを合計することにより、合計負荷の値、即ち、暫定出力値を決定する。
【００３９】
なお、変形例として、上記の目標主要出力値は、主要機械（主要機械は、ダンプトラックである本実施形態では走行装置１４であるが、パワーショベルやホイールローダなどの別の種類の建設機械械では、主要機械はブームやバケット等を動かす作業装置と走行装置の両方であってよい）の異なる作動状態（例えば、掘削、ブーム上げ、バケット・ダンプなど現在行われている作業の種類）に応じて可変的に設定されてもよい。
【００４０】
その後、グロス出力値制御部２２３は、ステップＳ２で決定された暫定出力値が、予め設定された調整出力上限値以下か否かを判定する（Ｓ３）。ここで、調整出力上限値は、エンジン１２の出力可能なグロス出力パワーの可変範囲内で、以下の要求を満たすように設定されている。その要求とは、エンジン１２のグロス出力値が調整出力上限値以下であれば、エンジン１２の燃費は好ましい所定の値以下になる、ということである。調整出力上限値は、例えば、トランスミッションＣＴＬ２２のメモリに記憶されている。
【００４１】
暫定出力値が調整出力上限値以下である場合は（Ｓ３：ＹＥＳ）、グロス出力値制御部２２３は、暫定出力値を、調整後のグロス出力値（以下、「調整出力値」という）として設定する（Ｓ４）。
【００４２】
一方、暫定出力値が調整出力上限値よりも大きい場合は（Ｓ３：ＮＯ）、グロス出力値制御部２２３は、調整出力上限値を、調整出力値として設定する（Ｓ５）。ステップＳ４とＳ５により、調整出力値は、調整出力上限値を超えることはなく、調整出力上限値以下の範囲内で合計負荷値に応じて可変的に設定されることになる。
【００４３】
その後、エンジン１２から出力される実際のグロス出力値がステップＳ４又はＳ５で設定された調整出力値となるように、エンジン１２への燃料噴射量が制御される（Ｓ６）。具体的には、グロス出力値制御部２２３は、エンジン１２の実際のグロス出力値を、設定された調整出力値になるよう制御することを指示する信号を、エンジン駆動制御部２１１に送信する。その指示信号を受信したエンジン駆動制御部２１１は、燃料噴射装置を制御して、エンジン１２への燃料噴射量を調整し、その結果として、エンジン１２の実際のグロス出力値が、設定された調整出力値になるように調整される。
【００４４】
以上が、グロス出力制御の全体のフローである。このフローチャートからわかるように、本実施形態におけるグロス出力パワーの制御では、種々の補助機械１５で消費されている損失パワーの値と、予め設定された目標主要出力値との合計値である上記合計負荷値（＝上記暫定出力値）が、予め設定された調整出力上限値以下であるときには（以下、このような合計負荷値の領域を「小パワー領域」という）、エンジン１２のグロス出力パワーの値は、その合計負荷値に等しくなるように制御される。
【００４５】
その結果、種々の補助機械１５による損失パワーの値が変動したとしても、主要機械（例えば、走行装置１４）に分配される主要出力値が予め定めた目標主要出力値に保たれる。故に、主要機械はそれが本来持つ予め定められた性能（例えば、走行装置１４の走行性能）を発揮することができる。
【００４６】
一方、合計負荷値（損失パワーの値と目標主要出力値との合計値）が調整出力上限値よりも大きいときには（以下、このような合計負荷値の領域を「大パワー領域」という）、エンジン１２のグロス出力パワーの値は、調整出力上限値に一致させられる。その結果、種々の補助機械１５による損失パワーの値が非常に大きくなっても、エンジン１２のグロス出力値は調整出力上限値を超える過大な値にはならない。これにより、エンジン１２の燃費の悪化が防止される。
【００４７】
本実施形態では、大パワー領域であっても、補助機械１５の駆動に対して制限はかけられない。それにより、補助機械１５は、所望の稼働を維持する。その結果、補助機械１５の性能低下により引き起こされ得る問題、例えばオーバーヒートなどが防止できる。
【００４８】
図３は、本実施形態に係るグロス出力制御が行われた場合における、エンジン１２のグロス出力値及び主要出力値（縦軸）と損失パワーの値（横軸）との関係を示す図である。図３の実線が、損失パワーの値に応じてグロス出力値がどのように制御されるかを示している。また、図３の一点鎖線が、損失パワーの値に応じて主要出力値がどのように変化するかを示している。また、図３の点線は、損失パワーの値に応じて合計負荷値（損失パワー値と目標主要出力値との合計値）がどのように変化するかを示している。尚、図３では、エンジン１２の回転速度は、一定に保たれているものとする（エンジン１２の回転速度が変化すると、後に説明される図７に示すように、目標主要出力値が変化する）。
【００４９】
小パワー領域（合計負荷値が調整出力上限値よりも小さい領域）においては、グロス出力値は、図３の実線に示されるように、合計負荷値と等しくなるように調整される。従って、グロス出力値は、損失パワーが増大すると同様に増大する。これにより、主要機械（例えば、走行装置１４）に分配される主要出力値は、図３の一点鎖線に示されるように、損失パワーの値に関係なく、主要機械の性能を十分に発揮させ得る値、つまり目標主要出力値に保たれる。
【００５０】
損失パワーがさらに増大すると、合計負荷値が同様にさらに増大し、ついには、調整出力上限値よりも大きくなる（即ち、大パワー領域に入る）。大パワー領域においては、グロス出力値は、損失パワーの値の増減に関係なしに、一定の値（調整出力上限値）に保たれる。つまり、グロス出力値は、図中の点線で示された合計負荷値よりも小さい値に抑制される。これにより、エンジン１２の燃費の悪化が防止される。このとき、補助機械１５の稼働には制限が加えられないので、補助機械１５は、十分なパワーを供給されて所望の稼働を維持できる。一方、一点鎖線で示されるように主要出力値は、損失パワーが大きくなるにつれて小さくなる。このように、本実施形態では、燃費の悪化を防止することの代償として、主要装置（例えば走行装置１４）へ分配される主要出力値が、幾分低下する。しかしながら、調整出力上限値及び目標主要出力値を適切な値に設定することにより、主要出力値が低下したとしても、主要装置（例えば走行装置１４）は、実際上は問題のない性能（例えば走行性能）を発揮することができる。また、補助機械１５は、所望の稼働を維持するため、その性能低下により生じ得るオーバーヒートなどの問題を防止できる。
【００５１】
図４は、損失パワーの計算方法を説明する説明図である。
【００５２】
本実施形態における損失パワー（種々の補助機械１５によって消費されるパワー）は、ラジエータファンポンプ１５１の消費パワーと、アフタクーラファンポンプ１５２の消費パワーと、トランスミッションポンプ１５３の消費パワーと、ステアリングポンプ１５４の消費パワーと、ブレーキクーリングポンプ１５５の消費パワーと、エアコンディショナ１５６の消費パワーとを合計したものである。ちなみに、これらの消費パワーの内訳は、例えば、図５に示されるとおりである。尚、図５の例は、エンジン回転数が２０００［rpm］の場合のものであり、この例では、エアコンディショナ１５６の消費パワーは比較的に小さいのでその図示が省略されている。
【００５３】
上述したように、本実施形態では、トランスミッションポンプ１５３、ステアリングポンプ１５４及びブレーキクーリングポンプ１５５は、固定容量型の油圧ポンプである。固定容量型の油圧ポンプの消費パワーの値は、主としてエンジン１２の回転速度によって決まる。従って、合計負荷値演算部２２２は、電気信号（図１の（７））として入力されたエンジン１２の回転速度に基づいて、トランスミッションポンプ１５３の消費パワー、ステアリングポンプ１５４の消費パワーの値及びブレーキクーリングポンプ１５５の消費パワーの値を、計算することができる。
【００５４】
一方、ラジエータファンポンプ１５１及びアフタクーラファンポンプ１５２は、上述したように、可変容量型の油圧ポンプである。従って、ラジエータファンポンプ１５１及びアフタクーラファンポンプ１５２の消費パワーの値は、主として、それぞれの油圧ポンプ１５１，１５２が駆動するファンの回転速度（すなわち、ラジエータファン１５７及びアフタクーラファン１５８の回転速度）と、エンジン１２の回転速度とに基づいて決まる。エンジン１２の回転速度が参照されるのは、エンジン１２の回転速度に応じて変わるエンジン１２からポンプ１５１，１５２へのパワーの伝達効率（エンジン１２の回転速度に応じて変わる）が考慮されるためである。
【００５５】
ここで、ファン１５７，１５８については、各ファンの冷却対象物（冷却対象物が複数ある場合はその全部或いは一部）の現在の状態値（例えば温度値）に基づいて、各ファンの回転速度の目標値（以下、「目標回転速度」）が決定され、各ファンの回転速度がその目標回転速度となるように制御される。従って、合計負荷値演算部２２２は、ファン１５７，１５８の冷却対象物の現在の状態値（例えば温度値）に基づいて、ファン１５７，１５８の目標回転速度を計算し、それら計算された目標回転速度と、電気信号（図１の（７））として入力されたエンジン１２の回転速度とに基づいて、ラジエータファンポンプ１５１及びアフタクーラファンポンプ１５２の消費パワーを計算する。
【００５６】
以下、ラジエータファン１５７の目標回転速度の決定方法について説明する。上述したように、ラジエータファン１５７によって冷却されるラジエータ１７は、冷却水を冷却するとともに、冷却水を介して、ブレーキ冷却油、Ｔ／Ｃ作動油及びステアリング作動油をも冷却する。即ち、ラジエータファン１５７は、ラジエータ１７を直接的に冷却するとともに、冷却水、ブレーキ冷却油、Ｔ／Ｃ作動油及びステアリング作動油を間接的に冷却する。つまり、ラジエータファン１５７の冷却対象物は、ラジエータ１７、冷却水、ブレーキ冷却油、Ｔ／Ｃ作動油及びステアリング作動油である。従って、合計負荷値演算部２２２は、例えば、電気信号（図１の（１）〜（４））として入力された、冷却水温、ブレーキ冷却油温、Ｔ／Ｃ作動油温及びステアリング作動油温の全部又は一部に基づいて、ラジエータファン１５７の目標回転速度を計算する。また、ブレーキ冷却油温は、リターダブレーキが作動することにより上昇する。従って、合計負荷値演算部２２２は、ブレーキ冷却油温の代わりに又はブレーキ冷却油温に加えて、電気信号（図１の（６））として入力されたリターダレバー操作量を参照して、目標回転速度を計算してもよい。また、ラジエータ１７の近辺には、エアコンディショナ１５６のコンデンサが配置されており、このコンデンサは、ラジエータファン１５７によって冷却される。エアコンディショナ１５６のコンデンサは、エアコンディショナ１５６がＯＮの場合に冷却される必要がある。従って、合計負荷値演算部２２２は、電気信号（図１の（８））として入力されたエアコンディショナのＯＮ／ＯＦＦを示す状態を参照して、目標回転速度を計算してもよい。以下、ラジエータファン１５７の目標回転速度を決定するための基礎として使用される状態値を、「基礎状態値」と呼ぶ。本実施形態では、冷却対象物である冷却水温、ブレーキ冷却油温、Ｔ／Ｃ作動油温及びステアリング作動油温のそれぞれと、リターダレバー操作量と、エアコンディショナの状態（ＯＮ／ＯＦＦ）とが、基礎状態値である。ここで、図６を参照して、これらの基礎状態値に基づいて、ラジエータファン１５７の目標回転速度が、どのように決定されるかについて具体的に説明する。
【００５７】
図６は、ラジエータファン１５７の目標回転速度を決定するために用いられる制御マップを示す図である。
【００５８】
エンジン１２は、ローアイドル回転速度ＮｅＬからハイアイドル回転速度ＮｅＨの範囲で回転する。上限回転速度Ｓは、ラジエータファン１５７自体の設計上（機械の強度の観点から）設定された回転速度の上限値である（上限回転速度Ｓ以上の回転速度ではラジエータファン１５７を回転させてはならない。）。太い実線で示された最大回転速度ラインＬＮｍａｘは、ラジエータファンポンプ１５１の容量を、そのポンプ１５１の制御用に予め設定された最大容量（これは通常、ポンプ１５１自体がもつ最大容量より小さい）に保持した場合における、ラジエータファン１５７の回転速度を示した制御用のデータであり、これはエンジン回転速度Ｎｅの関数として定義される。最大回転速度ラインＬＮｍａｘは、エンジン回転速度Ｎｅが所定の閾値Ｎｅｔｈより高い範囲では、上記の上限回転速度Ｓに一致する。最大回転速度ラインＬＮｍａｘは、エンジン回転速度Ｎｅが上記閾値Ｎｅｔｈより低い範囲では、上記の上限回転速度Ｓより低い値をもつ、エンジン回転速度Ｎｅの増加関数である。
【００５９】
もう一つの太い実線で示される最小回転速度ラインＬＮｍｉｎは、ラジエータファンポンプ１５１の容量を、そのポンプ１５１の制御用に予め設定された最小容量（これは、ポンプ１５１自体がもつ最小容量と同じでよい）に保持した場合における、ラジエータファン１５７の回転速度を示した制御用のデータであり、これもエンジン回転速度Ｎｅの増加関数として定義される。最大回転速度ラインＬＮｍａｘと最小回転速度ラインＬＮｍｉｎとの間で囲まれた領域（ハッチングされた領域）は、以下その補助機械（この例では、ラジエータファンポンプ１５１）の「動作領域」Ｒと呼ばれる。
【００６０】
ラジエータファン１５７の目標回転速度は、ラジエータファンポンプ１５１の動作領域Ｒ内で、上述した1以上の基礎状態値に応じて決定される。例えば、エンジン回転速度がＮｅ１の場合は、最大回転速度ラインＬＮｍａｘ上の点であるＡ点から最小回転速度ラインＬＮｍｉｎ上の点であるＢ点までの範囲内で、目標回転速度が決定される。同様に、エンジン回転速度がＮｅ２の場合は、最大回転速度ラインＬＮｍａｘ上の点であるＣ点から最小回転速度ラインＬＮｍｉｎ上の点であるＤ点までの範囲内で、目標回転速度が決定される。
【００６１】
図６の例では、説明の都合上、ラジエータファン１５７の目標回転速度を決定するための基礎状態値として、冷却水温と、ブレーキ冷却油温と、リターダレバー操作量との三つの状態値だけが示されているが、本実施形態では、図４に示されているように、他の状態値（Ｔ／Ｃ作動油温、ステアリング作動油温及びエアコンディショナの状態（ＯＮ／ＯＦＦ））も使用され得る。
【００６２】
図６に示されるように、各基礎状態値の可変範囲の各値（例えば、最高温度から最低温度までの各値、或いは、最大操作量から最小操作量までの各値）に対して、動作領域Ｒ内の回転速度の最大値（上限観点速度Ｓ）から最小値（下限回転速度Ｔ）までの各値１対１で関連付けられている。各基礎状態値のより高い値に対して、回転速度のより高い値が関連付けられている。この各基礎状態値の各値と目標回転速度の各値との間の関連を用いて、現在の1以上の状態値とエンジン回転速度の値に基づいて、動作領域Ｒ内で、目標回転速度が決定される。
【００６３】
例えば、現在のエンジン回転速度がＮｅ１である場合を想定する。この場合、現在のエンジン回転速度Ｎｅ１に対応する動作領域Ｒ内の許容範囲Ａ−Ｂ内で、目標回転速度が決定され得る。もし、ブレーキ冷却油温の現在値がＷであれば、値Ｗに関連付けられた回転速度はＥである。この値Ｅは上記許容範囲Ａ−Ｂ内に存在し、そして、この値Ｅが、ブレーキ冷却油温から導かれる目標回転速度の一候補として選ばれる。他方、もし、ブレーキ冷却油温の現在値がＸであれば、値Ｘに関連付けられた回転速度の値はＦである。しかし、この値Ｆは上記許容範囲Ａ−Ｂ外にある（値Ｆが値Ａを超える）ため、値Ｆは目標回転速度の候補として選択できない。そこで、値Ｆに最も近い許容範囲Ａ−Ｂ内の値Ａが、ブレーキ冷却油温に基づく目標回転速度の一候補として選ばれる。
【００６４】
他の基礎状態値、例えば冷却水温及びリターダレバー操作量についても、上記と同様の方法で、目標回転速度の一候補が各状態値に基づいて決定される。例えば、現在のエンジン回転速度がＮｅ１である場合において、もし、ブレーキ冷却油温の現在値がＷで、冷却水温の現在値がＹで、リターダレバー操作量の現在値がＺであったとすると、値Ｗに関連付けられた回転速度値Ｅと、値Ｙに関連付けられた回転速度値Ｇと、値Ｚに関連付けられた回転速度値Ｈが、それぞれ、目標回転速度の候補として選択される。
【００６５】
このようにして、異なる基礎状態値から異なる回転速度値が目標回転速度の候補として選択される。次に、これら異なる目標回転速度の候補値に基づいて、目標回転速度が決定される。典型的には、異なる目標回転速度の候補値の中の最大値が、目標回転速度として選択される。このように最大の目標値を用いて補助機械（この例ではラジエータファンポンプ１５１）の作動を制御することで、補助機械の性能不足により生じ得る問題、例えばオーバーヒートがより効果的に防止できるという利点が得られる。
【００６６】
また、上記例では、補助機械の作動速度の目標値（例えば、ラジエータファン１５７の目標回転速度）を決定するために、その補助機械の機能が作用する対象物の状態値（例えば、ラジエータファン１５７による冷却機能が作用するブレーキ冷却油温や冷却水温）だけでなく、その対象物の状態値の将来の変化を引き起こす原因となる状態値（例えば、リターダブレーキの制動パワーを調整するためのリターダレバー操作量）も用いられる。そのような原因となる状態値を用いることで、不都合な状態を事前防止するように先回り的に補助機械の作動を制御できるという利点がある。
【００６７】
図４に戻る。次に、アフタクーラファン１５８の目標回転速度の決定方法について説明する。上述したように、アフタクーラファン１５８によって冷却されるアフタクーラ１８は、圧縮空気を冷却する。即ち、アフタクーラファン１５８は、アフタクーラ１５８を直接的に冷却するとともに、圧縮空気を間接的に冷却する。つまり、アフタクーラファン１５８により冷却される対象物は、アフタクーラ１８及び圧縮空気である。従って、合計負荷値演算部２２２は、例えば、電気信号（図１の（５））として入力された圧縮空気温に基づいて、アフタクーラファン１５８の目標回転速度を計算する。アフタクーラファン１５８の目標回転速度も、ラジエータファン１５７の場合と同様に、図６に示したような制御マップを用いて決定される。
【００６８】
エアコンディショナ１５６の消費パワーは、エアコンディショナの稼働状態（即ち、ＯＮかＯＦＦか）に基づいて決定される。従って、合計負荷値演算部２２２は、電気信号（図１の（８））として入力されたエアコンディショナのＯＮ／ＯＦＦを示す状態値に基づいて、エアコンディショナ１５６の消費パワーを計算することができる。
【００６９】
以上のようにして、種々の補助機械の作動状態の目標値が決定されると、それぞれの補助機械の実際の作動状態がそれぞれの目標値になるように、補助機械の運転が制御される。また、合計負荷値演算部２２２によって、それぞれの補助機械の作動状態の目標値に基づいて、それぞれの補助機械で消費されているパワーが計算される。そして、合計負荷値演算部２２２によって、計算されたそれら補助機械の消費パワーが合計されて、損失パワーが決定される。
【００７０】
図７は、ポンプ１５１〜１５５やエアコンディショナ１５６などの補助機械１５で消費される損失パワーが変化したとき、エンジン１２のグロス出力パワー及び主要出力パワーがどのように変化するかを、エンジン回転速度との関係で示した図である。
【００７１】
図７中、細い実線が、損失パワーが最小値であるとき（つまり、各種の補助機械１５の消費パワーが最小であるとき）の、合計負荷値（つまり、損失パワーと目標主要出力値との和であり、これは図２に示された暫定出力値でもある）を示している。この場合、合計負荷値は前述した所定の調整出力上限値を超過しない。そのため、エンジン１２のグロス出力値が、上記合計負荷値に一致する値に制御される。その結果、主要機械（例えば、走行装置１４）へ分配されるエンジン１２の主要出力パワーは、図７中で細い点線で示すように、合計負荷値から損失パワーの値を除去した値に制御され、それは、目標主要出力値に等しい。同様にして、損失パワーが小さくて合計負荷値が調整出力上限値以下である（小パワー領域にある）場合には、エンジン１２の主要出力パワーは目標主要出力値に一致するように制御される。従って、主要機械（例えば、走行装置１４）は十分な性能を発揮し得る。
【００７２】
図７中、一点鎖線が、損失パワーが最大値であるとき（つまり、各種の補助機械１５の消費パワーが最大であるとき）の、合計負荷値（つまり、損失パワーと目標主要出力値との和であり、これは図２に示された暫定出力値でもある）を示している。この場合、エンジン回転速度が或る値Vより高い範囲で、合計負荷値が前述した所定の調整出力上限値を超過する。そのため、エンジン回転速度がその値Vより高いときには、エンジン１２のグロス出力値が、上記合計負荷値ではなく、より低い調整出力上限値に制限される。このように制限されたグロス出力値が、図７では、太い実線で示されている。その結果、主要機械（例えば、走行装置１４）へ分配されるエンジン１２の主要出力値は、図７中で太い点線で示すように、制限されたグロス出力値から最大の損失パワーの値を除去した値に制御され、それは、細い点線で示された目標主要出力値（小パワー領域の場合の主要出力値）より若干小さい。しかし、主要出力値が目標主要出力値より落ちる幅は、それほど大きくはないので、主要機械（例えば走行装置１４）の性能低下は実際上無視できるほど小さい。同様にして、損失パワーが大きくて合計負荷値が調整出力上限値を超過する（大パワー領域にある）場合には、グロス出力値が調整出力上限値に制限される。これにより、燃費が所望の値より悪化することが防止される。
【００７３】
上述した本発明の実施形態は、本発明の説明のための例示であり、本発明の範囲をそれらの実施形態にのみ限定する趣旨ではない。本発明は、その要旨を逸脱することなく、その他の様々な態様でも実施することができる。
【００７４】
本実施形態では、走行装置１４が主要機械とされたが、走行装置１４以外の装置（例えば、ホイスト機構に作動油を供給するステアリングポンプ１５４等）が主要機械とされてもよい。また、損失パワーの計算に用いられる補助機械１５として、その他の補助機械１５が考慮されてもよいし、消費パワーの比較的小さい補助機械１５（例えば、エアコンディショナ１５６）については、損失パワーの計算において考慮されないようにしてもよい。
【００７５】
本実施形態では、小パワー領域においては、グロス出力値が合計負荷の値に調整され、大パワー領域においては、グロス出力値が調整出力上限値に調整された。変形例として、例えば、小パワー領域においては、グロス出力値が合計負荷パワーの値以上の値に調整され、大パワー領域においては、グロス出力値が調整出力上限値以下の値に調整されてもよい。このように制御した場合でも、小パワー領域においては、主要出力パワーを主要機械の性能を発揮させるのに十分値（例えば目標主要出力値以上）に保つことができ、大パワー領域においては、燃費の悪化を防止することができる。
【符号の説明】
【００７６】
１…ダンプトラック、１２…エンジン、１３…ＰＴＯ、１４…走行装置、１４１…トルクコンバータ、１４２…トランスミッション、１４３…アクスル、１４４…ホイール、１５…補助機械、１５１…ラジエータファンポンプ、１５７…ラジエータファン、１５２…アフタクーラファンポンプ、１５８…アフタクーラファン、１５３…トランスミッションポンプ、１５４…ステアリングポンプ、１５５…ブレーキクーリングポンプ、１５６…エアコン、１６…ブレーキ、１６１…ブレーキペダル、１６２…リターダレバー、１７…ラジエータ、１８…アフタクーラ、１９…ターボチャージャ、２１…エンジンＣＴＬ、２１１…エンジン駆動制御部、２２…トランスミッションＣＴＬ、２２２…合計負荷値演算部、２２３…グロス出力値制御部、３１…冷却水温センサ、３２…Ｔ／Ｃ作動油温センサ、３３…ブレーキ冷却油温センサ、３４…ステアリング作動油温センサ、３５…圧縮空気温センサ、３６…リターダレバー操作量センサ
【図１】
2010087237.tif 000003
【図２】
2010087237.tif 000004
【図３】
2010087237.tif 000005
【図４】
2010087237.tif 000006
【図５】
2010087237.tif 000007
【図６】
2010087237.tif 000008
【図７】
2010087237.tif 000009
【国際調査報告】
2010087237.tif 000010
2010087237.tif 000011